【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
光源手段から出射した光束を入射光束とし偏向手段に導光する第１の光学系と、前記偏向手段の偏向面にて偏向された光束を走査光束とし被走査面上に結像させる第２の光学系と、を有し、
前記入射光束は、前記第２の光学系を構成する少なくともの一部の走査光学素子を通過し、かつ、副走査断面内において該偏向手段の偏向面に対し斜め方向から入射する光走査装置であって、
前記入射光束及び前記走査光束は、副走査断面内において前記入射光束の主光線と前記走査光束の主光線が共に前記走査光学素子の光軸に対して同じ側を通過しており、
前記走査光学素子の副走査断面内の入射面及び出射面は、共に前記偏向手段に対して凸形状であることを特徴とする光走査装置。
【請求項２】
前記走査光学素子の主走査断面内の入射面及び出射面は、共に前記偏向手段に対して凹形状であることを特徴とする請求項１に記載の光走査装置。
【請求項３】
前記光源手段は、複数の発光部を有し、前記複数の発光部から出射した複数の光束は、前記偏向手段の同一の偏向面に入射していることを特徴とする請求項１又は２に記載の光走査装置。
【請求項４】
前記複数の発光部は２つであり、前記２つの発光部から出射した２つの光束は、副走査断面内において前記走査光学素子の光軸を挟んで異なる方向から入射し、互いに異なる被走査面上に結像していることを特徴とする請求項３に記載の光走査装置。
【請求項５】
光源手段から出射した光束を入射光束とし偏向手段に導光する第１の光学系と、前記偏向手段の偏向面にて偏向された光束を走査光束とし被走査面上に結像させる第２の光学系と、を具備し、
前記入射光束は、前記第２の光学系を構成する少なくともの一部の走査光学素子を通過し、かつ副走査断面内において該偏向手段の偏向面に対し斜め方向から入射する光走査装置であって、
前記入射光束及び前記走査光束は、副走査断面内において前記入射光束の主光線と前記走査光束の主光線が共に前記走査光学素子の光軸に対して互いに反対側を通過しており、
前記走査光学素子の副走査断面内の入射面及び出射面は、共に前記偏向手段に対して凹形状であることを特徴とする光走査装置。
【請求項６】
前記走査光学素子の主走査断面内の入射面及び出射面は、共に前記偏向手段に対して凹形状であることを特徴とする請求項５に記載の光走査装置。
【請求項７】
前記走査光学素子は副走査断面内において傾いて配置されていることを特徴とする請求項１乃至６の何れか一項に記載の光走査装置。
【請求項８】
前記第２の光学系の光路内に遮光部材を設け、前記遮光部材は、前記入射光束が前記走査光学素子の一部を通過する際に前記走査光学素子の表面で反射されて発生するゴースト光を遮光していることを特徴とする請求項１乃至７の何れか一項に記載の光走査装置。
【請求項９】
前記入射光束の主走査方向の光束幅は、前記偏向面の主走査方向の幅より広いことを特徴とする請求項１乃至８の何れか一項に記載の光走査装置。
【請求項１０】
請求項１乃至９の何れか一項に記載の光走査装置と、前記被走査面に配置された感光ドラムと、前記光走査装置で走査された光ビームによって前記感光ドラムの上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項１１】
請求項１乃至９の何れか一項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１７
【補正方法】変更
【補正の内容】
【００１７】
請求項１の発明の光走査装置は、
光源手段から出射した光束を入射光束とし偏向手段に導光する第１の光学系と、前記偏向手段の偏向面にて偏向された光束を走査光束とし被走査面上に結像させる第２の光学系と、を有し、
前記入射光束は、前記第２の光学系を構成する少なくともの一部の走査光学素子を通過し、かつ、副走査断面内において該偏向手段の偏向面に対し斜め方向から入射する光走査装置であって、
前記入射光束及び前記走査光束は、副走査断面内において前記入射光束の主光線と前記走査光束の主光線が共に前記走査光学素子の光軸に対して同じ側を通過しており、
前記走査光学素子の副走査断面内の入射面及び出射面は、共に前記偏向手段に対して凸形状であることを特徴としている。
【手続補正３】
【補正対象書類名】明細書
【補正対象項目名】００１８
【補正方法】変更
【補正の内容】
【００１８】
請求項２の発明は請求項１の発明において、
前記走査光学素子の主走査断面内の入射面及び出射面は、共に前記偏向手段に対して凹形状であることを特徴としている。
【手続補正４】
【補正対象書類名】明細書
【補正対象項目名】００１９
【補正方法】変更
【補正の内容】
【００１９】
請求項３の発明は請求項１又は２の発明において、
前記光源手段は、複数の発光部を有し、前記複数の発光部から出射した複数の光束は、前記偏向手段の同一の偏向面に入射していることを特徴としている。
【手続補正５】
【補正対象書類名】明細書
【補正対象項目名】００２０
【補正方法】変更
【補正の内容】
【００２０】
請求項４の発明は請求項３の発明において、
前記複数の発光部は２つであり、前記２つの発光部から出射した２つの光束は、副走査断面内において前記走査光学素子の光軸を挟んで異なる方向から入射し、互いに異なる被走査面上に結像していることを特徴としている。
【手続補正６】
【補正対象書類名】明細書
【補正対象項目名】００２１
【補正方法】変更
【補正の内容】
【００２１】
請求項５の発明の光走査装置は、
光源手段から出射した光束を入射光束とし偏向手段に導光する第１の光学系と、前記偏向手段の偏向面にて偏向された光束を走査光束とし被走査面上に結像させる第２の光学系と、を具備し、
前記入射光束は、前記第２の光学系を構成する少なくともの一部の走査光学素子を通過し、かつ副走査断面内において該偏向手段の偏向面に対し斜め方向から入射する光走査装置であって、
前記入射光束及び前記走査光束は、副走査断面内において前記入射光束の主光線と前記走査光束の主光線が共に前記走査光学素子の光軸に対して互いに反対側を通過しており、
前記走査光学素子の副走査断面内の入射面及び出射面は、共に前記偏向手段に対して凹形状であることを特徴としている。
【手続補正７】
【補正対象書類名】明細書
【補正対象項目名】００２２
【補正方法】変更
【補正の内容】
【００２２】
請求項６の発明は請求項５の発明において、
前記走査光学素子の主走査断面内の入射面及び出射面は、共に前記偏向手段に対して凹形状であることを特徴としている。
【手続補正８】
【補正対象書類名】明細書
【補正対象項目名】００２３
【補正方法】変更
【補正の内容】
【００２３】
請求項７の発明は請求項１乃至６のいずれか１項の発明において、
前記走査光学素子は副走査断面内において傾いて配置されていることを特徴としている。
【手続補正９】
【補正対象書類名】明細書
【補正対象項目名】００２４
【補正方法】変更
【補正の内容】
【００２４】
請求項８の発明は請求項１乃至７のいずれか１項の発明において、
前記第２の光学系の光路内に遮光部材を設け、前記遮光部材は、前記入射光束が前記走査光学素子の一部を通過する際に前記走査光学素子の表面で反射されて発生するゴースト光を遮光していることを特徴としている。
【手続補正１０】
【補正対象書類名】明細書
【補正対象項目名】００２５
【補正方法】変更
【補正の内容】
【００２５】
請求項９の発明は請求項１乃至８のいずれか１項の発明において、
前記入射光束の主走査方向の光束幅は、前記偏向面の主走査方向の幅より広いことを特徴としている。
【手続補正１１】
【補正対象書類名】明細書
【補正対象項目名】００２６
【補正方法】変更
【補正の内容】
【００２６】
請求項１０の発明の画像形成装置は、
請求項１乃至９の何れか一項に記載の光走査装置と、前記被走査面に配置された感光ドラムと、前記光走査装置で走査された光ビームによって前記感光ドラムの上に形成された静電潜像をトナー像として現像する現像器と、現像されたトナー像を被転写材に転写する転写手段と、転写されたトナー像を被転写材に定着させる定着器とを有することを特徴としている。
【手続補正１２】
【補正対象書類名】明細書
【補正対象項目名】００２７
【補正方法】変更
【補正の内容】
【００２７】
請求項１１の発明の画像形成装置は、
請求項１乃至９の何れか一項に記載の光走査装置と、外部機器から入力したコードデータを画像信号に変換して前記光走査装置に入力せしめるプリンタコントローラとを有していることを特徴としている。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００４３
【補正方法】変更
【補正の内容】
【００４３】
６は集光機能とｆθ特性とを有する第２の光学系としての走査光学系（ｆθレンズ系）であり、プラスチック材料より成る第１、第２の２枚の走査レンズ（ｆθレンズ）（走査光学素子）６１，６２を有しており、ポリゴンミラー５によって反射偏向された画像情報に基づく光束を主走査断面内において被走査面としての感光ドラム面８上にスポットに結像させ、かつ副走査断面内においてポリゴンミラー５の偏向面５ａと感光ドラム面８との間を光学的に略共役関係にすることにより、倒れ補正機能を有している。本実施例における第１の走査レンズ６１の副走査断面内の入射面６１ａ及び出射面６１ｂは、少なくとも一方はポリゴンミラー５側に対して凸形状より成っている。本実施例では、入射面及び出射面は、共にポリゴンミラー５側に対して凸形状より成っている。
【手続補正２１】
【補正対象書類名】明細書
【補正対象項目名】００４７
【補正方法】変更
【補正の内容】
【００４７】
９は遮光部材であり、スリットより成り、第２の光学系６の光路内に配置されている。遮光部材９はポリゴンミラー５に入射する入射光束が第１の走査レンズ６１を通過した際に該第１の走査レンズ６１の表面６１ａ又は／及び裏面６１ｂで反射されて発生するゴースト光が感光ドラム８面へ入射するのを防止している。